(57)【要約】【課題】必要に応じて、レバー取手を遥動自在にできる状態と、安全面を重視した垂直固定や、運搬性を重視した水平固定の状態等を、簡単に使い分けられるレバー取手装置及びこれを搭載する画像形成装置を提供する。【解決手段】機器Ａの構造体を構成する側板１２に取手支持ブラケット１０を取り付け、この取手支持ブラケット１０と前記側板１２とでシャフト１１を支持し、機器運搬用のレバー取手９を、前記シャフト１１を中心として垂直な格納状態と、この状態から重力に抗して先端を引き上げた水平な使用状態との間で揺動自在に保持するレバー取手装置において、前記シャフト１１はスラスト方向に移動自在であり、そして前記レバー取手９は、前記シャフト１１のスラスト方向の移動により、所定の固定状態、及び揺動自在な状態を選択することができる。【選択図】図５
2008197292.tif 000002
【特許請求の範囲】
【請求項１】
機器の構造体を構成する側板に取り付けられる取手支持ブラケットと、前記取手支持ブラケットと前記側板とにより支持されるシャフトと、前記シャフトを中心として垂直な格納状態と、該垂直な格納状態から重力に抗して先端を引き上げた水平な使用状態との間で揺動自在に保持されるレバー取手と、を備え、
前記シャフトは、スラスト方向に移動自在であり、
前記レバー取手は、前記シャフトのスラスト方向の移動により、所定の固定状態又は揺動自在状態に保持されることを特徴とするレバー取手装置。
【請求項２】
前記所定の固定状態は、前記レバー取手が水平な使用状態にあることを特徴とする請求項１記載のレバー取手装置。
【請求項３】
前記所定の固定状態は、前記レバー取手が垂直な格納状態にあることを特徴とする請求項１記載のレバー取手装置。
【請求項４】
前記所定の固定状態は、前記レバー取手が水平な使用状態、又は垂直な格納状態にあることを特徴とする請求項１記載のレバー取手装置。
【請求項５】
前記シャフトのスラスト方向に荷重が掛かるように弾性部材を設け、前記弾性部材は、前記レバー取手を所定状態に固定し、且つ、必要時に前記シャフトをスラスト方向に押し込んで、前記レバー取手を遥動自在にすることを特徴とする請求項１記載のレバー取手装置。
【請求項６】
前記弾性部材により水平状態になるように荷重を掛けることができ、かつ、垂直な格納状態にある前記レバー取手は、運搬時に前記シャフトのスラスト方向への移動により前記弾性部材により自動的に水平状態になることを特徴とする請求項５記載のレバー取手装置。
【請求項７】
前記取手支持ブラケットにスラスト移動防止カバーを設け、前記スラスト移動防止カバーを取り外したときに前記シャフトをスラスト方向に移動可能に構成されることを特徴とする請求項１記載のレバー取手装置。
【請求項８】
前記シャフトの先端を機器内側に突出させ、外装カバーを開成したときに前記シャフトをスラスト方向に移動可能であることを特徴とする請求項１記載のレバー取手装置。
【請求項９】
前記シャフト上にスラスト移動押さえ部を取り付け、前記シャフトのスラスト方向への移動は、前記スラスト移動押さえ部を取り外すことにより可能であることを特徴とする請求項１記載のレバー取手装置。
【請求項１０】
揺動防止ブラケットを備え、該揺動防止ブラケットを取り付けた状態では前記レバー取手を所定の状態で固定させ、前記揺動防止ブラケットの取り外した状態では前記レバー取手を揺動自在とすることを特徴とする請求項１記載のレバー取手装置。
【請求項１１】
外部オプションを取り付け可能な画像形成装置において、請求項１乃至１０のいずれか１項記載のレバー取手装置を備えたことを特徴とする画像形成装置。
【発明の詳細な説明】
【技術分野】
【０００１】
本発明は、シャフトを中心として格納状態と使用状態との間で揺動するレバー取手装置及びこのレバー取手装置を備えた画像形成装置に関するものである。
【背景技術】
【０００２】
複写機、プリンタ、ファクシミリ又はそれらの複合機などの画像形成装置などの比較的重量のある機器には、この機器を持ち運ぶ時に手を掛ける取手が設けられている。しかし、そのような取手のうち、従来から、特にシャフトを中心として格納状態と使用状態との間で動き得るレバー取手装置が提案されている。
画像形成装置に設けられる移動用の取手の形態は、外装一体の掘り込み取手や、引き出して使用する神輿取手、パイプ取手等がある。しかし、非使用時には装置外装内に収納して外観性に優れるとともに、使用時には引き起こすことにより、安全性に優れ、機器重量のあるものでも持ち易い揺動式のレバー取手も開発されている。そのような取手の中には固定部材が無い状態では常に揺動自在となるレバー取手も開示されている。
【発明の開示】
【発明が解決しようとする課題】
【０００３】
しかしながら、外部オプションとして、給紙バンクや、ＡＤＦ等を取り付けられる画像形成装置において、外部オプションを取り付けたままでは機器全体が重くなるため、運搬時には外部オプションを取り外すこととしている場合がある。ここで、外部オプションの取り付けを、外装カバーを取り外す必要等からサービスエンジニアが行うことになっている場合、ユーザーが外部オプションを取り付けたまま運搬できないように、レバー取手を垂直な収納状態に固定することが望ましい。
一方で、組み立て工程間での移動や、サービスエンジニアによる装置運搬の際には、逆にレバー取手を水平に引き起こした状態を保つことができることが望まれている。
そこで、本発明の目的は、上述した実情を考慮して、必要に応じてレバー取手を遥動自在にできる状態と、安全面を重視した垂直固定や、運搬性を重視した水平固定の状態等を、簡単に使い分けられるレバー取手装置及びこれを搭載する画像形成装置を提供することにある。
【課題を解決するための手段】
【０００４】
上記の課題を解決するために、請求項１に記載の発明は、機器の構造体を構成する側板に取り付けられる取手支持ブラケットと、前記取手支持ブラケットと前記側板とにより支持されるシャフトと、前記シャフトを中心として垂直な格納状態と、該垂直な格納状態から重力に抗して先端を引き上げた水平な使用状態との間で揺動自在に保持されるレバー取手と、を備え、前記シャフトは、スラスト方向に移動自在であり、前記レバー取手は、前記シャフトのスラスト方向の移動により、所定の固定状態又は揺動自在状態に保持されるレバー取手装置を特徴とする。
また請求項２に記載の発明は、前記所定の固定状態は、前記レバー取手が水平な使用状態にある請求項１記載のレバー取手装置を特徴とする。
また請求項３に記載の発明は、前記所定の固定状態が、前記レバー取手が垂直な格納状態にある請求項１記載のレバー取手装置を特徴とする。
また請求項４に記載の発明は、前記所定の固定状態が、前記レバー取手が水平な使用状態、又は垂直な格納状態にある請求項１記載のレバー取手装置を特徴とする。
【０００５】
また請求項５に記載の発明は、前記シャフトのスラスト方向に荷重が掛かるように弾性部材を設け、前記弾性部材は、前記レバー取手を所定状態に固定し、且つ、必要時に前記シャフトをスラスト方向に押し込んで、前記レバー取手を遥動自在にする請求項１記載のレバー取手装置を特徴とする。
また請求項６に記載の発明は、前記弾性部材により水平状態になるように荷重を掛けることができ、かつ、垂直な格納状態にある前記レバー取手は、運搬時に前記シャフトのスラスト方向への移動により前記弾性部材により自動的に水平状態になる請求項５記載のレバー取手装置を特徴とする。
また請求項７に記載の発明は、前記取手支持ブラケットにスラスト移動防止カバーを設け、前記スラスト移動防止カバーを取り外したときに前記シャフトをスラスト方向に移動可能に構成される請求項１記載のレバー取手装置を特徴とする。
【０００６】
また請求項８に記載の発明は、前記シャフトの先端を機器内側に突出させ、外装カバーを開成したときに前記シャフトをスラスト方向に移動可能である請求項１記載のレバー取手装置を特徴とする。
また請求項９に記載の発明は、前記シャフト上にスラスト移動押さえ部を取り付け、前記シャフトのスラスト方向への移動は、前記スラスト移動押さえ部を取り外すことにより可能である請求項１記載のレバー取手装置を特徴とする。
また請求項１０に記載の発明は、揺動防止ブラケットを備え、該揺動防止ブラケットを取り付けた状態では前記レバー取手を所定の状態で固定させ、前記揺動防止ブラケットの取り外した状態では前記レバー取手を揺動自在とする請求項１記載のレバー取手装置を特徴とする。
また請求項１１に記載の発明は、外部オプションを取り付け可能な画像形成装置において、請求項１乃至１０のいずれか１項記載のレバー取手装置を備えた画像形成装置を特徴とする。
【発明の効果】
【０００７】
本発明によれば、レバー取手の固定状態と揺動自在の状態を使い分けることができ、またレバー取手を水平状態に固定できることにより、機器の運搬設置時にレバー取手を放してもレバー取手が下がらないため、優れた運搬設置性を提供することができる。
【発明を実施するための最良の形態】
【０００８】
以下、図面を参照して、本発明の実施形態を詳細に説明する。
図１乃至図４は本発明のレバー取手装置を備えた画像形成装置の外観図であり、図１はレバー取手を収納した状態における操作面側の外観図、図２はレバー取手を収納した状態における胴部排紙面側の外観図、図３はレバー取手を引き起こした状態における操作面側の外観図。図４はレバー取手を引き起こした状態における胴部排紙面側の外観図である。
図１乃至図４に示す画像形成装置Ａには、取手カバー１、前カバー２、給紙トレイ３、両面カバー４、右カバー５、手差し給紙カバー６、掘り込み取手７、左カバー８、レバー取手９が示されている。
図１乃至図４には詳細な画像形成、転写及び定着工程を示してないが画像形成装置Ａは給紙トレイ３に収納されて画像形成部に送られた記録媒体が所定の画像形成工程を経てトナー画像を転写かつ定着されて胴内排紙部３０から排出される構成を有している。
【０００９】
図５〜図７は本発明のレバー取手装置の第１の実施形態を示した図であり、図５はレバー取手装置が垂直固定されている状態の概略斜視図、図６はレバー取手が遥動自在になっている状態の概略斜視図、図７は図６に示したレバー取手装置の分解斜視図である。
例えば画像形成装置Ａ等の機器では、図５〜図７に示すように構造体を構成する前側板１２に取手支持ブラケット１０が取り付けている。
この取手支持ブラケット１０と前側板１２とでシャフト１１を支持している。機器の構造体を構成する前側板１２は構造体を形成する前フレーム１３に連結されている。
レバー取手装置は、そのシャフト１１を中心として機器運搬用のレバー取手９を垂直な格納状態（図５）と、その状態から重力に抗して先端を引き上げた水平な使用状態（図６）との間で揺動自在に保持するように構成されている。
シャフト１１はスラスト方向に移動自在であり、このシャフト１１をスラスト方向に移動させることにより、レバー取手９を所定の固定状態（図５の例では垂直固定）、及び揺動自在な状態に選択することができる。
【００１０】
図５に示すようにシャフト１１が左側にある状態では、図７に示すようにシャフト１１の左先端１７のＤカット部１７ａが取手補強ブラケット通し穴１６のＤカット１６ａに嵌る。これと同時に、シャフト１１の右先端１８のＤカット部１８ａがレバー取手通し穴１９のＤカット１９ａにも嵌っている。かかる構成のため、レバー取手９を垂直状態に固定できる。レバー取手９を垂直状態に固定できることによって、機器設置状態での安全性を確保することができる。
ここで、右側よりスラスト移動防止カバー１５が取り付けてあるため、シャフト１１をスラスト方向に移動できなくなっており、誤ってレバー取手９を操作することをできなくしている。かかる構成によれば、スラスト移動防止カバー１５を取り外さないと、レバー取手９を引き起こすことができないため、機器設置状態での安全性を確保することができる。
【００１１】
次に、シャフト１１をスラスト方向に移動させるため、このスラスト移動防止カバー１５を外すが、シャフト１１の右先端１８は、取手支持ブラケット１０の右面より突出していない。このため、前カバー２を開けないと、機器内側より取手補強ブラケット１４の左面より突出しているシャフト１１の左先端１７を押して、右側に移動できなくしている。このように外装カバー（前カバー２）を開けないと、レバー取手９を引き起こせないことにより、機器設置状態での安全性を確保することができる。
図６に示すように、取手補強ブラケット１４の左面より突出しているシャフト１１の左先端１７を押して、シャフト１１を右側に移動させれば、シャフト１１の左先端１７のＤカット部１７ａが取手補強ブラケット通し穴１６のＤカット１６ａから外れ、レバー取手９を遥動させることができるようになる。
【００１２】
なお、図７ではシャフト１１の左先端１７のＤカット１７ａと右先端１８のＤカット部１８ａは平行にしてあるが、これを垂直にすればシャフト１１が左側にある状態ではレバー取手９を水平状態に固定することが可能となる。
このように、レバー取手９を水平状態に固定できることにより、機器の運搬設置時にレバー取手９を放しても、このレバー取手９が下がらないため、優れた運搬設置性を提供することができる。
また、シャフト１１の左先端１７のＤカット部１７ａを正方形にカットし、同じく取手補強ブラケット通し穴１６も正方形にカットすれば、シャフト１１を左側にさせた時に、レバー取手９を垂直状態及び水平状態にも固定することが可能となる。
このように、レバー取手９を水平状態に固定できることにより、機器の運搬設置時にレバー取手９を放しても、このレバー取手９が下がらないため、優れた運搬設置性を提供することができると共に、レバー取手９を垂直状態にも固定できることにより、機器設置状態での安全性を確保することができる。
【００１３】
図８〜図１１は本発明の第２の実施形態に係るレバー取手装置を示した図であり、図８はレバー取手装置のレバー取手が水平固定になっている状態の概略斜視図、図９はレバー取手装置のレバー取手が遥動自在になっている状態の概略斜視図である。また図１０はレバー取手装置のレバー取手が垂直固定になっている状態の概略斜視図である。図１１は図８に示すレバー取手装置の分解斜視図である。
図８〜図１１に示す第２の実施形態に係るレバー取手装置は、シャフト１１のスラスト方向に荷重が掛かるようにばね等の弾性部材２２を設けるようにしている。レバー取手装置は、通常、レバー取手９を所定の状態に固定し（図示の実施形態では水平固定及び垂直固定）、必要な時のみシャフト１１をスラスト方向に押し込むことにより遥動自在にすることができる。これにより、レバー取手９の固定状態と必要な時のみ遥動自在の状態を使い分けることができる。
【００１４】
図８に示すように圧縮ばね２２がシャフト１１を右側に付勢している状態では、図１１に示すようにシャフト１１の左先端１７の正方形カット部１７ｂは取手補強ブラケット１４の通し穴１６の正方形カット１６ｂに嵌る。これと同時に、シャフト１１の右先端１８のＤカット部１８ａがレバー取手９の通し穴１９のＤカット１９ａにも嵌っているため、レバー取手９を水平状態に固定できることがわかる。
ここで、シャフト１１の上方からスラスト移動押さえ部２０を取り付けてあり、シャフト溝部２４にスラスト移動押さえ部２０のＵカットの切り欠き２３が嵌るため、シャフト１１をスラスト方向に押し込めなくなっている。このため、誤ってレバー取手９を操作することをできなくしている。このように、スラスト移動押さえ部２０を取り外さないと、レバー取手９を引き起こせないことにより、機器設置状態での安全性を確保することができる。
【００１５】
次に、図９及び図１１に示すようにスラスト移動押さえ部２０を外し、圧縮ばね２２に抗してシャフト１１を左側に押し込めば、シャフト１１の左先端１７の正方形カット部１７ｂが取手補強ブラケット１４の通し穴１６の正方形カット１６ｂから外れ、レバー取手９を遥動させることができるようになる。
また、シャフト１１を左側に押し込むことを止めれば、シャフト１１は圧縮ばね２２の付勢により右側に戻ろうとするが、図１０のように、レバー取手９を垂直状態にしても、シャフト１１の左先端１７の正方形カット部１７ｂが９０度回転して、取手補強ブラケット１４の通し穴１６の正方形カット１６ｂに嵌るため、垂直状態でも固定できることが判る。
このように必要な時のみレバー取手９を遥動させられ、通常は常に水平な使用状態か、垂直な格納状態を選択することできるため、優れた機器の運搬設置性の提供と、機器設置状態での安全性を確保することができる。
なお、シャフト１１の左先端１７の正方形カット部１７ｂをＤカットにし、同じく取手補強ブラケット１４の通し穴１６もＤカットにすれば、第１の実施形態のようにレバー取手９を垂直状態のみ、若しくは水平状態のみに固定することが可能となる。
このように必要な時のみレバー取手９を遥動させられ、通常は常に水平な使用状態にあり、機器の運搬時にレバー取手９を放しても、このレバー取手９が下がらないため、優れた運搬設置性を提供することができる。また、必要な時のみレバー取手９を遥動させられ、通常は常に垂直な格納状態にあるため、機器の設置状態での安全性を確保することができる。
【００１６】
図１２乃至図１４は本発明の第３の実施形態に係るレバー取手装置を示した図であり、図１２はレバー取手装置のレバー取手が垂直固定になっている状態の概略斜視図である。図１３はレバー取手装置のレバー取手が遥動自在かつ水平維持となっている状態の概略斜視図である。図１４は図１３に示すレバー取手装置の分解斜視図である。
第３の実施形態のレバー取手装置は、捻りばね等の弾性部材２５によりレバー取手９が水平状態になるように荷重を掛けている。通常、垂直な格納状態にさせ、運搬等に必要時のみシャフト１１をスラスト方向に移動させて弾性部材２５により自動的にレバー取手９が水平状態になるように構成している。
このようにすれば、通常は常に垂直な格納状態にあるため、機器設置状態での安全性を確保することができるとともに、設置運搬時にはレバー取手９を水平状態に維持できるため、優れた機器の運搬設置性も提供することができる。
【００１７】
図１２及び図１４に示すように、シャフト１１と同軸に捻りばね２５を設け、先端を前フレーム１３のばね引っ掛け穴２６とシャフト１１のばね掛け溝２７に掛けることにより、レバー取手９が水平方向になるように付勢してある。
しかし、シャフト１１が左側にある状態では、シャフト１１の左先端１７のＤカット部１７ａが取手補強ブラケット１４の通し穴１６のＤカット１６ａに嵌る。これと同時にシャフト１１の右先端１８のＤカット部１８ａがレバー取手９の通し穴１９のＤカット１９ａにも嵌っているため、レバー取手９を垂直状態に固定できることがわかる。
次に、図１３に示すようにシャフト１１を右側に移動させれば、シャフト１１の左先端１７のＤカット部１７ａが取手補強ブラケット１４通し穴１６のＤカット１６ａから外れ、捻りばね２５により自動的にレバー取手９を水平状態にさせることができる。
【００１８】
図１５乃至図１７は本発明の第３の実施形態に係るレバー取手装置を示した図であり、図１５はレバー取手装置のレバー取手が垂直固定になっている状態の概略斜視図である。図１６はレバー取手装置のレバー取手が遥動自在かつ水平維持となっている状態の概略斜視図である。図１７は図１６に示すレバー取手装置の分解斜視図である。
第４の実施形態のレバー取手装置は、シャフト１１上に遥動防止ブラケット２８を取り付けられるようにしている。この遥動防止ブラケット２８が付いた状態では、レバー取手９を所定の状態で固定させ、遥動防止ブラケット２８を取り外せば、レバー取手９を遥動自在にすることができる。このように、レバー取手９の固定状態と遥動自在の状態を使い分けることができる。
図１５乃至図１７に示すように、第４の実施形態においても、上述の第３の実施形態と同様に、シャフト１１と同軸に捻りばね２５を設け、レバー取手９が水平方向になるように付勢してある。レバー取手９には取手カバー１が配置されている。シャフト１１の左先端１７の正方形カット部１７ｂが遥動防止ブラケット２８の矩形カットの切り欠き２９に嵌る。これと同時に、シャフト１１の右先端１８のＤカット部１８ａがレバー取手９通し穴１９のＤカット１９ａにも嵌っているため、レバー取手９を垂直状態に固定できることが分かる。
【００１９】
次に、図１６のように遥動防止ブラケット２８を取り外せば、シャフト１１は回転自在となり、捻りばね２５により自動的にレバー取手９を水平状態にさせることができる。また、再度、遥動防止ブラケット２８を取り付ければ、レバー取手９を固定できるが、レバー取手９を垂直状態にしても、シャフト左先端１７の正方形カット部１７ｂが９０度回転して、遥動防止ブラケット２８切り欠き２９の矩形カットに嵌るため、垂直状態でも固定できることがわかる。
このように、レバー取手９を水平な使用状態に固定できることにより、機器の運搬設置時にレバー取手９を放したとしても、レバー取手９が下がらないため、優れた運搬設置性を提供することができる。また、これとともに、レバー取手９を垂直な格納状態にも固定できることにより、機器設置状態での安全性を確保することができる。
【００２０】
なお、シャフト１１の左先端１７の正方形カット１７ｂをＤカットにし、同じく取手補強ブラケット１４の通し穴１６もＤカットにすれば、第１の実施形態のようにレバー取手９を垂直状態のみ、若しくは水平状態のみに固定することが可能となる。
このようにレバー取手９を水平な使用状態に固定できることにより、機器の運搬設置時にレバー取手９を放したとしても、レバー取手が下がらないため、優れた運搬設置性を提供することができる。また、レバー取手９を垂直な格納状態に固定できることにより、機器設置状態での安全性を確保することができる。
さらに、上述したように、画像形成装置Ａは給紙トレイ３に収納されて画像形成部に送られた記録媒体が所定の画像形成工程を経てトナー画像を転写かつ定着されて胴内排紙部３０から排出される構成を有している（図２）。
かかる画像形成装置Ａに上述した本発明によるレバー取手装置を搭載すれば、このレバー取手装置に関連して説明した種々の効果が得られる。
【図面の簡単な説明】
【００２１】
【図１】本発明の実施形態の画像形成装置の外観図である。
【図２】本発明の実施形態の画像形成装置の外観図である。
【図３】本発明の実施形態の画像形成装置の外観図である。
【図４】本発明の実施形態の画像形成装置の外観図である。
【図５】第１の実施形態のレバー取手装置のレバー取手が垂直固定になっている状態を示した概略斜視図である。
【図６】第１の実施形態のレバー取手装置のレバー取手が遥動自在になっている状態を示した概略斜視図である。
【図７】図６に示したレバー取手装置の分解斜視図である。
【図８】第２の実施形態のレバー取手装置のレバー取手が水平固定になっている状態を示した概略斜視図である。
【図９】第２の実施形態のレバー取手装置のレバー取手が遥動自在になっている状態を示した概略斜視図である。
【図１０】第２の実施形態のレバー取手装置のレバー取手が垂直固定になっている状態を示した概略斜視図である。
【図１１】図８に示したレバー取手装置の分解斜視図である。
【図１２】第３の実施形態のレバー取手装置のレバー取手が垂直固定になっている状態を示した概略斜視図である。
【図１３】第３の実施形態のレバー取手装置のレバー取手が遥動自在かつ水平維持となっている状態を示した概略斜視図である。
【図１４】図１３に示したレバー取手装置の分解斜視図である。
【図１５】第４の実施形態のレバー取手装置のレバー取手が垂直固定になっている状態を示した概略斜視図である。
【図１６】第４の実施形態のレバー取手装置のレバー取手が遥動自在かつ水平維持となっている状態を示した概略斜視図である。
【図１７】図１６に示したレバー取手装置の分解斜視図である。
【符号の説明】
【００２２】
Ａ…画像形成装置（機器）、１…取手カバー、２…外装カバー（前カバー）、３…給紙トレイ、９…レバー取手、１０…取手支持ブラケット、１１…シャフト、１２…構造体（側板、前側板）、１３…構造体（前フレーム）、１４…取手補強ブラケット、１５…スラスト移動防止カバー、１６…取手補強ブラケット通し穴、１６ａ…Ｄカット、１６ｂ…正方形カット、１７…シャフト左先端、１７ａ…Ｄカット部、１７ｂ…正方形カット部、１８…シャフト右先端、１８ａ…Ｄカット部、１９…レバー取手通し穴、１９ａ…Ｄカット、２０…スラスト移動押さえ部、２１…圧縮ばね受け、２２…弾性部材（圧縮ばね）、２３…スラスト移動押さえ切り欠き（Ｕカット）、２４…シャフト溝部、２５…弾性部材（捻りばね）、２６…ばね引っ掛け穴、２７…ばね掛け溝、２８…揺動防止ブラケット、２９…揺動防止ブラケット切り欠き（矩形カット）、３０…排紙部（胴内排紙部）
【図１】
2008197292.tif 000003
【図２】
2008197292.tif 000004
【図３】
2008197292.tif 000005
【図４】
2008197292.tif 000006
【図５】
2008197292.tif 000007
【図６】
2008197292.tif 000008
【図７】
2008197292.tif 000009
【図８】
2008197292.tif 000010
【図９】
2008197292.tif 000011
【図１０】
2008197292.tif 000012
【図１１】
2008197292.tif 000013
【図１２】
2008197292.tif 000014
【図１３】
2008197292.tif 000015
【図１４】
2008197292.tif 000016
【図１５】
2008197292.tif 000017
【図１６】
2008197292.tif 000018
【図１７】
2008197292.tif 000019